(57)【要約】      （修正有）【課題】商品見本保持部を扉体から取り外さなくても商品見本の交換を直接行うことができ、このためメンテナンス員の作業負担を軽減することができる商品見本展示装置およびこのような商品見本展示装置を備えた自動販売機を提供する。【解決手段】商品見本展示装置１０は、自動販売機本体前面に設けられた扉体１２と、扉体１２に設けられ、シート状の商品見本を陳列する商品見本陳列部１４と、商品見本陳列部１４に陳列される商品見本を保持する商品見本保持部３０であって、商品見本を扉体１２の後側より出し入れ可能となるよう構成された商品見本保持部３０とを備えている。【選択図】図１
2015172860.tif 000002
【特許請求の範囲】
【請求項１】
自動販売機本体前面に設けられた扉体と、
前記扉体に設けられ、シート状の商品見本を陳列する商品見本陳列部と、
前記商品見本陳列部に陳列される前記商品見本を保持する商品見本保持部であって、前記商品見本を前記扉体の後側より出し入れ可能となるよう構成された商品見本保持部と、
を備えた、商品見本展示装置。
【請求項２】
前記商品見本保持部は、複数の前記商品見本を横方向に並んだ状態で保持するよう構成されている、請求項１記載の商品見本展示装置。
【請求項３】
前記商品見本保持部は、透明または半透明の材料からなり前記商品見本保持部により保持された前記商品見本の前面に位置する前面部材と、前記前面部材の後側において前記商品見本を保持する商品見本保持部材とを有しており、前記前面部材と前記商品見本保持部材との間には前記商品見本の少なくとも側縁部が着脱自在に嵌入される隙間が形成されている、請求項１または２記載の商品見本展示装置。
【請求項４】
前記商品見本保持部には、１または複数の前記前面部材が横方向に並んだ状態で設けられている、請求項３記載の商品見本展示装置。
【請求項５】
前記商品見本保持部は、前記前面部材の後側においてシート状の価格表示ラベルを保持する価格表示ラベル保持部材を更に有しており、前記商品見本保持部は、前記価格表示ラベルも前記扉体の後側より出し入れ可能となるよう構成されており、前記前面部材と前記価格表示ラベル保持部材との間には前記価格表示ラベルの少なくとも側縁部が着脱自在に嵌入される隙間が形成されている、請求項３または４記載の商品見本展示装置。
【請求項６】
前記商品見本保持部において前記価格表示ラベル保持部材は前記商品見本保持部材の上方または下方に設けられている、請求項５記載の商品見本展示装置。
【請求項７】
前記扉体に着脱自在に取り付けられ、１または複数の前記商品見本保持部を横方向に並べた状態で保持する保持機構を更に備え、
前記商品見本保持部は他の前記商品見本保持部から独立して前記保持機構に対して着脱自在となっている、請求項１乃至６のいずれか一項に記載の商品見本展示装置。
【請求項８】
前記商品見本保持部の底部には係合部が設けられており、前記保持機構の上面には前記商品見本保持部の前記係合部が着脱自在に係合される被係合部が設けられている、請求項７記載の商品見本展示装置。
【請求項９】
請求項１乃至８のいずれか一項に記載の商品見本展示装置を備えた、自動販売機。
【発明の詳細な説明】
【技術分野】
【０００１】
本発明は、自動販売機により販売されるべき商品の種類に対応するシート状の商品見本を展示するための商品見本展示装置およびこの商品見本展示装置を備えた自動販売機に関する。
【背景技術】
【０００２】
たばこ等のパッケージ商品の自動販売機において、縦長の略直方体形状の販売機本体の前面には、当該自動販売機により販売されるべき商品の種類に対応するシート状の商品見本を展示するための商品見本展示装置が配設されている。このような商品見本には、例えば、販売されるべき商品を正面から撮像したときの画像等が表示されるようになっている。そして、このような自動販売機でパッケージ商品を購入しようとする顧客が、金銭を投入した後に商品見本展示装置に展示されている商品見本を見てこの商品見本に対応する商品選択ボタンを押下することにより、商品見本に対応するパッケージ商品が商品払出口から払い出されるようになっている。このような自動販売機の商品見本展示装置としては、例えば特許文献１乃至３に開示されるものが従来から知られている。
【先行技術文献】
【特許文献】
【０００３】
【特許文献１】特開２０１１−２２１６９６公報
【特許文献２】特開２００６−３１５４４公報
【特許文献３】特開２０００−１６３６３７公報
【発明の概要】
【発明が解決しようとする課題】
【０００４】
従来の自動販売機では、前扉の前面に設けられる透明な窓板から商品見本や価格表示ラベルを視認可能に陳列する商品見本陳列部が設けられており、この商品見本陳列部に、シート状の商品見本や価格表示ラベルを保持する商品見本保持部が陳列されるようになっていた。より詳細には、商品見本や価格表示ラベルを保持する商品見本保持部を自動販売機の前扉や中扉に取り付けていたが、このような商品見本保持部において商品見本や価格表示ラベルは前扉や中扉の前側から出し入れ可能となっていた。しかしながら、商品見本保持部が自動販売機の前扉に取り付けられている場合には、商品見本や価格表示ラベルを出し入れする際や前扉の前面に設けられる透明な窓板を掃除する際に、メンテナンス員は前扉を開いた後に商品見本保持部を前扉から取り外す必要があり、メンテナンス員の作業負担が大きいという問題があった。また、自動販売機に展示される商品見本の数が増えた場合には、前扉から取り外さなければならない商品見本保持部の数も増えてしまい、メンテナンス員の作業負担が益々大きくなってしまうという問題があった。また、商品見本保持部が自動販売機の中扉に取り付けられている場合には、メンテナンス員は前扉を開いた後に商品見本保持部を中扉から取り外さなくても商品見本や価格表示ラベルの交換が可能となるが、前扉や中扉を閉じて自動販売機が販売待機状態となった際に商品見本や価格表示ラベルを前扉の前面に設けられる透明な窓板の近傍に配置する必要があるため、商品見本保持部は中扉の前面からの飛び出しが大きくなってしまい、オペレート作業やメンテナンス作業の邪魔になってしまったり、あるいは商品見本保持部に引っ掛けたり物をぶつけたりして破損してしまったりするおそれがあった。
【０００５】
本発明は、このような点を考慮してなされたものであり、商品見本保持部を扉体から取り外さなくても商品見本の交換を直接行うことができ、このためメンテナンス員の作業負担を軽減することができる商品見本展示装置およびこのような商品見本展示装置を備えた自動販売機を提供することを目的とする。
【課題を解決するための手段】
【０００６】
本発明の商品見本展示装置は、自動販売機本体前面に設けられた扉体と、前記扉体に設けられ、シート状の商品見本を陳列する商品見本陳列部と、前記商品見本陳列部に陳列される前記商品見本を保持する商品見本保持部であって、前記商品見本を前記扉体の後側より出し入れ可能となるよう構成された商品見本保持部と、を備えたことを特徴とする。
【０００７】
このような商品見本展示装置によれば、商品見本を扉体の後側より出し入れ可能となるよう商品見本保持部が構成されていることにより、商品見本保持部を扉体から取り外さなくても商品見本の交換を直接行うことができ、このためメンテナンス員の作業負担を軽減することができる。
【０００８】
本発明の商品見本展示装置においては、前記商品見本保持部は、複数の前記商品見本を横方向に並んだ状態で保持するよう構成されていてもよい。
【０００９】
本発明の商品見本展示装置においては、前記商品見本保持部は、透明または半透明の材料からなり前記商品見本保持部により保持された前記商品見本の前面に位置する前面部材と、前記前面部材の後側において前記商品見本を保持する商品見本保持部材とを有しており、前記前面部材と前記商品見本保持部材との間には前記商品見本の少なくとも側縁部が着脱自在に嵌入される隙間が形成されていてもよい。
【００１０】
この場合、前記商品見本保持部には、１または複数の前記前面部材が横方向に並んだ状態で設けられていてもよい。
【００１１】
また、前記商品見本保持部は、前記前面部材の後側においてシート状の価格表示ラベルを保持する価格表示ラベル保持部材を更に有しており、前記商品見本保持部は、前記価格表示ラベルも前記扉体の後側より出し入れ可能となるよう構成されており、前記前面部材と前記価格表示ラベル保持部材との間には前記価格表示ラベルの少なくとも側縁部が着脱自在に嵌入される隙間が形成されていてもよい。
【００１２】
この場合、前記商品見本保持部において前記価格表示ラベル保持部材は前記商品見本保持部材の上方または下方に設けられていてもよい。
【００１３】
本発明の商品見本展示装置は、前記扉体に着脱自在に取り付けられ、１または複数の前記商品見本保持部を横方向に並べた状態で保持する保持機構を更に備え、前記商品見本保持部は他の前記商品見本保持部から独立して前記保持機構に対して着脱自在となっていてもよい。
【００１４】
この場合、前記商品見本保持部の底部には係合部が設けられており、前記保持機構の上面には前記商品見本保持部の前記係合部が着脱自在に係合される被係合部が設けられていてもよい。
【００１５】
本発明の自動販売機は、上述した商品見本展示装置を備えたことを特徴とする。
【発明の効果】
【００１６】
本発明の商品見本展示装置およびこの商品見本展示装置を備えた自動販売機によれば、商品見本保持部を扉体から取り外さなくても商品見本の交換を直接行うことができ、このためメンテナンス員の作業負担を軽減することができる。
【図面の簡単な説明】
【００１７】
【図１】本発明の実施の形態による自動販売機の商品見本展示装置を後側から見たときの構成を示す斜視図である。
【図２】図１に示す商品見本展示装置における２つの商品見本保持部およびこれらの商品見本保持部を保持する保持機構（ブラケット）の構成を示す斜視図である。
【図３】図２に示す各商品見本保持部が保持機構から取り外された時の状態を示す斜視図である。
【図４】図２に示す各商品見本保持部および保持機構の背面図である。
【図５】図２に示す各商品見本保持部および保持機構を下方から見たときの構成を示す下面図である。
【図６】図１に示す商品見本展示装置において参照符号Ａで示される領域を拡大して示す拡大斜視図である。
【図７】図２に示す商品見本保持部を商品見本展示装置の前側から見たときの構成を示す斜視図である。
【図８】図７に示す商品見本保持部を後側上方から見たときの構成を示す斜視図である。
【図９】図７に示す商品見本保持部を後側下方から見たときの構成を示す斜視図である。
【図１０】図７に示す商品見本保持部を後側から見たときの背面図である。
【図１１】図１０に示す商品見本保持部のＡ−Ａ矢視による断面図である。
【図１２】図１０に示す商品見本保持部の底面図である。
【図１３】図２に示す商品見本保持部にシート状の商品見本や価格表示ラベルを保持させる際の動作を示す斜視図である。
【図１４】従来技術の自動販売機の商品見本展示装置を後側から見たときの構成を示す斜視図である。
【図１５】図１４に示す商品見本展示装置の商品見本保持部にシート状の商品見本や価格表示ラベルを保持させる際の動作を示す斜視図である。
【発明を実施するための形態】
【００１８】
以下、図面を参照して本発明の実施の形態について説明する。図１乃至図１３は、本実施の形態による自動販売機の商品見本展示装置を示す図である。このうち、図１は、本実施の形態による自動販売機の商品見本展示装置を後側から見たときの構成を示す斜視図であり、図２は、図１に示す商品見本展示装置における２つの商品見本保持部およびこれらの商品見本保持部を保持する保持機構（ブラケット）の構成を示す斜視図であり、図３は、図２に示す各商品見本保持部が保持機構から取り外された時の状態を示す斜視図である。また、図４は、図２に示す各商品見本保持部および保持機構の背面図であり、図５は、図２に示す各商品見本保持部および保持機構を下方から見たときの構成を示す下面図であり、図６は、図１に示す商品見本展示装置において参照符号Ａで示される領域を拡大して示す拡大斜視図である。また、図７乃至図１２は、図２に示す商品見本保持部の構成を示す斜視図や背面図等である。また、図１３は、図２に示す商品見本保持部にシート状の商品見本や価格表示ラベルを保持させる際の動作を示す斜視図である。
【００１９】
本実施の形態に係る商品見本展示装置１０は、たばこ等のパッケージ商品の自動販売機により販売されるべき商品の種類に対応するシート状の商品見本および価格表示ラベルを展示するものであり、このような商品見本展示装置１０は自動販売機における縦長の略直方体形状の販売機本体の前面に設置されている。図１は、商品見本展示装置１０を後側から見たときの構成を示す斜視図である。図１に示すように、商品見本展示装置１０は、自動販売機本体前面に設けられた前扉としての扉体１２と、扉体１２に設けられ、シート状の商品見本および価格表示ラベルを陳列する商品見本陳列部１４と、商品見本陳列部１４に陳列される商品見本および価格表示ラベルを保持する商品見本保持部３０とを備えている。より詳細には、商品見本陳列部１４は、前扉（扉体１２）の前面に設けられる透明な窓板１６から商品見本や価格表示ラベルを視認可能に陳列するようになっており、この商品見本陳列部１４に、シート状の商品見本や価格表示ラベルを保持する商品見本保持部３０が陳列されるようになっている。なお、図１に示す商品見本展示装置１０では、扉体１２は自動販売機の前扉として機能するようになっているが、扉体１２として自動販売機の前扉ではなく中扉が用いられるようになっていてもよい。
【００２０】
図１および図２に示すように、商品見本保持部３０は、複数の商品見本を横方向に並んだ状態で保持するよう構成されている。また、本実施の形態では、１または複数の商品見本保持部３０を横方向に並んだ状態で保持する保持機構（ブラケット）２０が扉体１２に着脱自在に取り付けられている。このような保持機構２０は扉体１２の上下方向における各段に１本ずつ設けられている。以下、このような保持機構２０および商品見本保持部３０の構成の詳細について説明する。
【００２１】
図１乃至図４は、１つの保持機構２０に２つの商品見本保持部３０が保持される態様について示している。ここで、図１乃至図４に示される左右２つの商品見本保持部３０のうち、左側の商品見本保持部３０は３つの商品見本および各商品見本に対応する３つの価格表示ラベルを保持するようになっており、右側の商品見本保持部３０は５つの商品見本および各商品見本に対応する５つの価格表示ラベルを保持するようになっている。また、各商品見本保持部３０は他の商品見本保持部３０から独立して保持機構２０に対して着脱自在となっている。
【００２２】
図７乃至図１２は、図１乃至図４に示される左右２つの商品見本保持部３０のうち左側の商品見本保持部３０の構成の詳細を示す図である。具体的には、図７は、商品見本保持部３０を商品見本展示装置１０の前側（すなわち、扉体１２の前側）から見たときの構成を示す斜視図であり、図８は、図７に示す商品見本保持部３０を後側上方から見たときの構成を示す斜視図であり、図９は、図７に示す商品見本保持部３０を後側下方から見たときの構成を示す斜視図である。また、図１０は、図７に示す商品見本保持部３０を後側から見たときの背面図であり、図１１は、図１０に示す商品見本保持部３０のＡ−Ａ矢視による断面図であり、図１２は、図１０に示す商品見本保持部３０の底面図である。
【００２３】
図７乃至図１２に開示される商品見本保持部３０は、透明または半透明の材料からなり商品見本保持部３０により保持された商品見本や価格表示ラベルの前面に位置する３つの前面部材３２と、前面部材３２の後側において商品見本を保持する商品見本保持部材３４と、前面部材３２の後側において価格表示ラベルを保持する価格表示ラベル保持部材３５と、底部３６とを有している。ここで、透明または半透明の材料からなる３つの前面部材３２は横方向に並んだ状態で配設されている。また、価格表示ラベル保持部材３５は商品見本保持部材３４の下方に設けられている。また、前面部材３２と商品見本保持部材３４との間には、商品見本の少なくとも両側縁部が着脱自在に嵌入される隙間が図８において参照符号Ｃで示す箇所に形成されている。このような前面部材３２と商品見本保持部材３４との間の隙間は、図１１において参照符号Ｅで示されている。ここで、前面部材３２と商品見本保持部材３４との間の隙間に嵌入された商品見本は、その下縁部が価格表示ラベル保持部材３５の上面に受けられるようになっている。また、前面部材３２と価格表示ラベル保持部材３５との間には、価格表示ラベルの少なくとも両側縁部が着脱自在に嵌入される隙間が図８において参照符号Ｄで示す箇所に形成されている。このような前面部材３２と価格表示ラベル保持部材３５との間の隙間は、図１１において参照符号Ｆで示されている。ここで、前面部材３２と価格表示ラベル保持部材３５との間の隙間に嵌入された価格表示ラベルは、その下縁部が底部３６の上面に受けられるようになっている。図１１に示すように、商品見本保持部３０において商品見本および価格表示ラベルは略同一平面上で保持されるようになっている。
【００２４】
本実施の形態では、前述したように、商品見本保持部３０において、商品見本および価格表示ラベルはそれぞれ扉体１２の後側より出し入れ可能となっている。このような商品見本保持部３０にシート状の商品見本や価格表示ラベルを保持させる際の動作を図１３に示す。図１３に示すように、商品見本（図１３において参照符号４０で表示）は、扉体１２の後側より当該商品見本の両側縁部を前面部材３２と商品見本保持部材３４との間の隙間に嵌入することにより前面部材３２と商品見本保持部材３４との間で保持させることができるようになっている。また、価格表示ラベル（図１３において参照符号４２で表示）は、扉体１２の後側より当該価格表示ラベルの両側縁部を前面部材３２と価格表示ラベル保持部材３５との間の隙間に嵌入することにより前面部材３２と価格表示ラベル保持部材３５との間で保持させることができるようになっている。なお、本実施の形態では、商品見本保持部３０において商品見本および価格表示ラベルの交換を行う際に、まず商品見本を扉体１２の後側より前面部材３２と商品見本保持部材３４との間の隙間から取り外し、次に価格表示ラベルを扉体１２の後側より前面部材３２と価格表示ラベル保持部材３５との間の隙間から取り外す。また、新たな商品見本および価格表示ラベルを商品見本保持部３０に保持させる際には、まず価格表示ラベルを扉体１２の後側より前面部材３２と価格表示ラベル保持部材３５との間の隙間に嵌入し、次に、商品見本を扉体１２の後側より前面部材３２と商品見本保持部材３４との間の隙間に嵌入する。
【００２５】
図３等に示すように、保持機構２０は、その断面が逆Ｌ字形状となっており扉体１２の幅方向に沿って延びる棒状部材２１を有しており、この棒状部材２１の上面に１または複数の商品見本保持部３０が横方向に並んだ状態で保持されるようになっている。このような保持機構２０の構成の詳細について図３乃至図６を用いて説明する。ここで、図３は、図２に示す各商品見本保持部３０が保持機構２０から取り外された時の状態を示す斜視図であり、図４は、図２に示す各商品見本保持部３０および保持機構２０の背面図である。また、図５は、図２に示す各商品見本保持部３０および保持機構２０を下方から見たときの構成を示す下面図であり、図６は、図１に示す商品見本展示装置１０において参照符号Ａで示される領域を拡大して示す拡大斜視図である。
【００２６】
図３や図４等に示すように、扉体１２を後側から見たときの保持機構２０の棒状部材２１の前面には化粧ネジ２２が設けられているとともに、棒状部材２１の一方の端部には扉体１２への差込部２４が形成されている。また、図６に示すように、扉体１２の内側面において参照符号Ｂで示す箇所には、棒状部材２１の端部に設けられた差込部２４が差し込まれるスリット１２ａが形成されている。このような保持機構２０を扉体１２に取り付ける際には、まず扉体１２の内側面に形成されたスリット１２ａに差込部２４を差し込み、次に化粧ネジ２２を回すことにより、当該化粧ネジ２２のネジ部分（図示せず）が扉体１２に設けられた雌ねじ孔（図示せず）に差し込まれるようになり、このことにより保持機構２０が扉体１２に取り付けられるようになる。
【００２７】
また、図９に示すように、商品見本保持部３０の底部３６の底面には、保持機構２０への係合部として差込爪３８および嵌め込み凸部材３９がそれぞれ形成されている。ここで、商品見本保持部３０の底部３６はプラスチック等の弾性のある部材から形成されており、底部３６における嵌め込み凸部材３９の周囲には切り込み（図９や図１２等参照）が設けられることによって嵌め込み凸部材３９の周囲の底部３６を撓ませることができるようになっている。また、図３等に示すように、保持機構２０の棒状部材２１の上面には、商品見本保持部３０の係合部が着脱自在に係合される被係合部として貫通穴２６、２７がそれぞれ形成されている。ここで、図３に示すように、貫通穴２６の形状は凸形状となっているのに対し、貫通穴２７の形状は長方形形状となっている。このような商品見本保持部３０を保持機構２０の棒状部材２１の上面に取り付ける際には、まず差込爪３８を貫通穴２６に挿入した後に当該差込爪３８を棒状部材２１の長手方向に沿ってスライドさせることによりこの差込爪３８を貫通穴２６に差し込ませ、次に嵌め込み凸部材３９を貫通穴２７に挿入させる。この際に、嵌め込み凸部材３９の周囲の底部３６を撓ませながら嵌め込み凸部材３９を貫通穴２７に挿入することにより、嵌め込み凸部材３９が貫通穴２７に嵌まった後はこの嵌め込み凸部材３９を貫通穴２７から取り出しにくくなる。このようにして、保持機構２０の上面に１または複数の商品見本保持部３０が着脱自在に取り付けられるようになる。
【００２８】
以上のような構成からなる本実施の形態の商品見本展示装置１０によれば、商品見本陳列部１４に陳列される商品見本を保持する商品見本保持部３０が、商品見本を扉体１２の後側より出し入れ可能となるよう構成されている（図１３参照）。このように、商品見本を扉体１２の後側より出し入れ可能となるよう商品見本保持部３０が構成されていることにより、商品見本保持部３０を扉体１２から取り外さなくても商品見本の交換を直接行うことができ、このためメンテナンス員の作業負担を軽減することができる。
【００２９】
比較例として、従来技術の商品見本展示装置６０を図１４および図１５に示す。図１４に示すように、従来技術の商品見本展示装置６０は、自動販売機本体前面に設けられた前扉としての扉体６２と、この扉体６２に設けられ、シート状の商品見本および価格表示ラベルを陳列する商品見本陳列部６４と、商品見本陳列部６４に陳列される商品見本および価格表示ラベルを保持する商品見本保持部７０とを備えている。より詳細には、商品見本陳列部６４は、前扉の前面に設けられる透明な窓板から商品見本や価格表示ラベルを視認可能に陳列するようになっており、この商品見本陳列部６４に、シート状の商品見本や価格表示ラベルを保持する商品見本保持部７０が陳列されるようになっている。ここで、従来技術の商品見本展示装置６０では、図１５に示すように、商品見本保持部７０において、商品見本（参照符号４０で表示）および価格表示ラベル（参照符号４２で表示）はそれぞれ扉体６２の前側より出し入れ可能となっている。また、従来技術の商品見本展示装置６０には、商品見本保持部７０を保持する保持機構は設けられていない。このような従来技術の商品見本展示装置６０を有する自動販売機において、商品見本や価格表示ラベルを交換する際や前扉の前面に設けられる透明な窓板を掃除する際には、自動販売機の前扉（すなわち扉体６２）を開いた後に商品見本保持部７０を扉体６２から取り外す必要があり、メンテナンス員にとって大変手間がかかり面倒であるという問題があった。また、図１４等に示すような従来技術の商品見本展示装置６０において扉体６２を自動販売機の前扉ではなく中扉として用いた場合には、商品見本保持部７０を扉体６２から取り外さなくても商品見本や価格表示ラベルの交換が可能となるが、前扉や中扉を閉じて自動販売機が販売待機状態となった際に商品見本や価格表示ラベルを前扉の前面に設けられる透明な窓板の近傍に配置する必要があるため、このような商品見本保持部７０は扉体６２の前面からの飛び出しが大きくなってしまい、オペレート作業やメンテナンス作業の邪魔になってしまったり、あるいは商品見本保持部７０に引っ掛けたり物をぶつけたりして破損してしまったりするおそれがあった。
【００３０】
これに対し、本実施の形態の商品見本展示装置１０によれば、上述したように商品見本を扉体１２の後側より出し入れ可能となるよう商品見本保持部３０が構成されていることにより、商品見本保持部３０を扉体１２から取り外さなくても商品見本の交換を直接行うことができ、このためメンテナンス員の作業負担を軽減することができる。
【００３１】
また、本実施の形態の商品見本展示装置１０においては、上述したように、商品見本保持部３０は、複数の商品見本を横方向に並んだ状態で保持するよう構成されている。このことにより、商品見本陳列のレイアウトを変更する際に、商品見本保持部３０を交換するだけで複数の商品見本の交換を行うことができるため、商品見本陳列のレイアウト変更を容易に行うことができるようになる。
【００３２】
また、本実施の形態の商品見本展示装置１０においては、上述したように、商品見本保持部３０は、透明または半透明の材料からなり商品見本保持部３０により保持された商品見本の前面に位置する前面部材３２と、前面部材３２の後側において商品見本を保持する商品見本保持部材３４とを有しており、前面部材３２と商品見本保持部材３４との間には商品見本の少なくとも側縁部が着脱自在に嵌入される隙間（図１１における参照符号Ｅ参照）が形成されている。また、商品見本保持部３０には、複数の前面部材３２が横方向に並んだ状態で設けられている。なお、本実施の形態では、商品見本保持部３０において複数の前面部材３２が横方向に並んだ状態で設けられるような態様に限定されることはなく、他の態様として、商品見本保持部３０において１つの前面部材３２のみが設けられるようになっていてもよい。
【００３３】
また、本実施の形態の商品見本展示装置１０においては、上述したように、商品見本保持部３０は、前面部材３２の後側においてシート状の価格表示ラベルを保持する価格表示ラベル保持部材３５を更に有している。そして、商品見本保持部３０は、価格表示ラベルも扉体１２の後側より出し入れ可能となるよう構成されており、前面部材３２と価格表示ラベル保持部材３５との間には価格表示ラベルの少なくとも側縁部が着脱自在に嵌入される隙間（図１１における参照符号Ｆ参照）が形成されている。また、商品見本保持部３０において価格表示ラベル保持部材３５は商品見本保持部材３４の下方に設けられている。なお、本実施の形態ではこのような態様に限定されることはなく、他の態様として、商品見本保持部３０において価格表示ラベル保持部材３５は商品見本保持部材３４の上方に設けられていてもよい。この場合には、価格表示ラベルは商品見本の下方ではなく上方に表示されるようになる。
【００３４】
本実施の形態の商品見本展示装置１０においては、上述したように、１または複数の商品見本保持部３０を横方向に並べた状態で保持する保持機構２０が扉体１２に着脱自在に取り付けられており、商品見本保持部３０は他の商品見本保持部３０から独立して保持機構２０に対して着脱自在となっている。この場合には、商品見本保持部３０を保持機構２０に取り付けたり保持機構２０から取り外したりすることによって商品見本のレイアウト変更を容易に行うことができるようになる。また、商品見本保持部３０の底部３６には係合部として差込爪３８および嵌め込み凸部材３９が設けられており、保持機構２０の上面には商品見本保持部３０の係合部が着脱自在に係合される被係合部として貫通穴２６、２７が設けられている。このような構成によれば商品見本保持部３０を保持機構２０の上面に容易に着脱することができるようになる。
【００３５】
なお、本実施の形態による商品見本展示装置１０やこの商品見本展示装置１０を備えた自動販売機は、上述したような態様に限定されることはなく、様々な変更を加えることができる。
【００３６】
例えば、上述した商品見本展示装置１０では、商品見本保持部３０は保持機構２０により保持されるようになっているが、このような態様に限定されることはなく、扉体１２に対して商品見本保持部３０が直接的に着脱自在となっていてもよい。このような態様からなる商品見本展示装置１０でも、商品見本保持部３０において、商品見本および価格表示ラベルがそれぞれ扉体１２の後側より出し入れ可能となっている場合には、商品見本保持部３０を扉体１２から取り外さなくても商品見本の交換を直接行うことができ、このためメンテナンス員の作業負担を軽減することができるようになる。
【００３７】
また、商品見本保持部３０は、複数の商品見本を横方向に並んだ状態で保持するような構成のものに限定されることはない。変形例に係る商品見本展示装置において、各商品見本保持部３０が１つのみの商品見本を保持するような構成となっていてもよい。また、上述した商品見本展示装置１０では、商品見本保持部３０が商品見本のみならず価格表示ラベルも保持するようになっているが、このような態様に限定されることはない。変形例に係る商品見本展示装置において、商品見本保持部３０が価格表示ラベルを保持しないような構成となっていてもよい。
【００３８】
また、上述の実施形態で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【符号の説明】
【００３９】
１０  商品見本展示装置
１２  扉体
１２ａ  スリット
１４  商品見本陳列部
１６  前扉
２０  保持機構
２１  棒状部材
２２  化粧ネジ
２４  差込部
２６、２７  貫通穴
３０  商品見本保持部
３２  前面部材
３４  商品見本保持部材
３５  価格表示ラベル保持部材
３６  底部
３８  差込爪
３９  嵌め込み凸部材
４０  商品見本
４２  価格表示ラベル
６０  従来技術の商品見本展示装置
６２  扉体
６４  商品見本陳列部
７０  商品見本保持部
【図１】
2015172860.tif 000003
【図２】
2015172860.tif 000004
【図３】
2015172860.tif 000005
【図４】
2015172860.tif 000006
【図５】
2015172860.tif 000007
【図６】
2015172860.tif 000008
【図７】
2015172860.tif 000009
【図８】
2015172860.tif 000010
【図９】
2015172860.tif 000011
【図１０】
2015172860.tif 000012
【図１１】
2015172860.tif 000013
【図１２】
2015172860.tif 000014
【図１３】
2015172860.tif 000015
【図１４】
2015172860.tif 000016
【図１５】
2015172860.tif 000017